【手続補正書】
【提出日】令和2年3月20日(2020.3.20)
【手続補正１】
【補正対象書類名】明細書
【補正対象項目名】発明の名称
【補正方法】変更
【補正の内容】
【発明の名称】リチウムイオン二次電池、及び正極活物質
【手続補正２】
【補正対象書類名】特許請求の範囲
【補正対象項目名】全文
【補正方法】変更
【補正の内容】
【特許請求の範囲】
【請求項１】
正極活物質を備えたリチウムイオン二次電池であって、
前記正極活物質は結晶欠陥又は空洞を有し、
前記正極活物質は前記結晶欠陥、前記空洞、前記結晶欠陥の近傍、又は前記空洞の近傍に偏析する典型元素又はアルミニウム有する、リチウムイオン二次電池。
【請求項２】
正極活物質を備えたリチウムイオン二次電池であって、
前記正極活物質は結晶欠陥又は空洞を有し、
前記正極活物質は表層部と、前記結晶欠陥、前記空洞、前記結晶欠陥の近傍、又は前記空洞の近傍とに偏析する典型元素又はアルミニウムを有する、リチウムイオン二次電池。
【請求項３】
正極活物質を備えたリチウムイオン二次電池であって、
前記正極活物質は結晶欠陥又は空洞を有し、
前記正極活物質は前記結晶欠陥、前記空洞、前記結晶欠陥の近傍、又は前記空洞の近傍に典型元素又はアルミニウムが存在する、リチウムイオン二次電池。
【請求項４】
正極活物質を備えたリチウムイオン二次電池であって、
前記正極活物質は結晶欠陥又は空洞を有し、
前記正極活物質は表層部と、前記結晶欠陥、前記空洞、前記結晶欠陥の近傍、又は前記空洞の近傍とに典型元素又はアルミニウムが存在する、リチウムイオン二次電池。
【請求項５】
正極活物質を備えたリチウムイオン二次電池であって、
前記正極活物質は結晶欠陥又は空洞を有し、
前記正極活物質は前記結晶欠陥、前記空洞、前記結晶欠陥の近傍、又は前記空洞の近傍に偏析する典型元素、アルミニウム又はフッ素を有する、リチウムイオン二次電池。
【請求項６】
正極活物質を備えたリチウムイオン二次電池であって、
前記正極活物質は結晶欠陥又は空洞を有し、
前記正極活物質は表層部と、前記結晶欠陥、前記空洞、前記結晶欠陥の近傍、又は前記空洞の近傍とに偏析する典型元素、アルミニウム又はフッ素を有する、リチウムイオン二次電池。
【請求項７】
正極活物質を備えたリチウムイオン二次電池であって、
前記正極活物質は結晶欠陥又は空洞を有し、
前記正極活物質は前記結晶欠陥、前記空洞、前記結晶欠陥の近傍、又は前記空洞の近傍に典型元素、アルミニウム又はフッ素が存在する、リチウムイオン二次電池。
【請求項８】
正極活物質を備えたリチウムイオン二次電池であって、
前記正極活物質は結晶欠陥又は空洞を有し、
前記正極活物質は表層部と、前記結晶欠陥、前記空洞、前記結晶欠陥の近傍、又は前記空洞の近傍とに典型元素、アルミニウム又はフッ素が存在する、リチウムイオン二次電池。
【請求項９】
請求項１乃至請求項８のいずれか一において、
前記典型元素は、カルシウム、又はベリリウムを有する、リチウムイオン二次電池。
【請求項１０】
正極活物質を備えたリチウムイオン二次電池であって、
前記正極活物質は結晶欠陥又は空洞を有し、
前記正極活物質は前記結晶欠陥、前記空洞、前記結晶欠陥の近傍、又は前記空洞の近傍に偏析するマグネシウム又はアルミニウムを有する、リチウムイオン二次電池。
【請求項１１】
正極活物質を備えたリチウムイオン二次電池であって、
前記正極活物質は結晶欠陥又は空洞を有し、
前記正極活物質は表層部と、前記結晶欠陥、前記空洞、前記結晶欠陥の近傍、又は前記空洞の近傍とに偏析するマグネシウム又はアルミニウムを有する、リチウムイオン二次電池。
【請求項１２】
正極活物質を備えたリチウムイオン二次電池であって、
前記正極活物質は結晶欠陥又は空洞を有し、
前記正極活物質は前記結晶欠陥、前記空洞、前記結晶欠陥の近傍、又は前記空洞の近傍にマグネシウム又はアルミニウムが存在する、リチウムイオン二次電池。
【請求項１３】
正極活物質を備えたリチウムイオン二次電池であって、
前記正極活物質は結晶欠陥又は空洞を有し、
前記正極活物質は表層部と、前記結晶欠陥、前記空洞、前記結晶欠陥の近傍、又は前記空洞の近傍とにマグネシウム又はアルミニウムが存在する、リチウムイオン二次電池。
【請求項１４】
正極活物質を備えたリチウムイオン二次電池であって、
前記正極活物質は結晶欠陥又は空洞を有し、
前記正極活物質は前記結晶欠陥、前記空洞、前記結晶欠陥の近傍、又は前記空洞の近傍に偏析するマグネシウム、アルミニウム又はフッ素を有する、リチウムイオン二次電池。
【請求項１５】
正極活物質を備えたリチウムイオン二次電池であって、
前記正極活物質は結晶欠陥又は空洞を有し、
前記正極活物質は表層部と、前記結晶欠陥、前記空洞、前記結晶欠陥の近傍、又は前記空洞の近傍とに偏析するマグネシウム、アルミニウム又はフッ素を有する、リチウムイオン二次電池。
【請求項１６】
正極活物質を備えたリチウムイオン二次電池であって、
前記正極活物質は結晶欠陥又は空洞を有し、
前記正極活物質は前記結晶欠陥、前記空洞、前記結晶欠陥の近傍、又は前記空洞の近傍にマグネシウム、アルミニウム又はフッ素が存在する、リチウムイオン二次電池。
【請求項１７】
正極活物質を備えたリチウムイオン二次電池であって、
前記正極活物質は結晶欠陥又は空洞を有し、
前記正極活物質は表層部と、前記結晶欠陥、前記空洞、前記結晶欠陥の近傍、又は前記空洞の近傍とにマグネシウム、アルミニウム又はフッ素が存在する、リチウムイオン二次電池。
【請求項１８】
結晶欠陥、空洞、前記結晶欠陥の近傍、又は前記空洞の近傍に偏析する典型元素又はアルミニウムを有する、リチウムイオン二次電池の正極活物質。
【請求項１９】
表層部と、結晶欠陥、空洞、前記結晶欠陥の近傍、又は前記空洞の近傍とに偏析する典型元素又はアルミニウムを有する、リチウムイオン二次電池の正極活物質。
【請求項２０】
結晶欠陥、空洞、前記結晶欠陥の近傍、又は前記空洞の近傍に典型元素又はアルミニウムが存在する、リチウムイオン二次電池の正極活物質。
【請求項２１】
表層部と、結晶欠陥、空洞、前記結晶欠陥の近傍、又は前記空洞の近傍とに典型元素又はアルミニウムが存在する、リチウムイオン二次電池の正極活物質。
【請求項２２】
結晶欠陥、空洞、前記結晶欠陥の近傍、又は前記空洞の近傍に偏析する典型元素、アルミニウム又はフッ素を有する、リチウムイオン二次電池の正極活物質。
【請求項２３】
表層部と、結晶欠陥、空洞、前記結晶欠陥の近傍、又は前記空洞の近傍とに偏析する典型元素、アルミニウム又はフッ素を有する、リチウムイオン二次電池の正極活物質。
【請求項２４】
結晶欠陥、空洞、前記結晶欠陥の近傍、又は前記空洞の近傍に典型元素、アルミニウム又はフッ素が存在する、リチウムイオン二次電池の正極活物質。
【請求項２５】
表層部と、結晶欠陥、空洞、前記結晶欠陥の近傍、又は前記空洞の近傍とに典型元素、アルミニウム又はフッ素が存在する、リチウムイオン二次電池の正極活物質。
【請求項２６】
請求項１８乃至請求項２５のいずれか一において、
前記典型元素は、カルシウム、又はベリリウムを有する、リチウムイオン二次電池の正極活物質。
【請求項２７】
結晶欠陥、空洞、前記結晶欠陥の近傍、又は前記空洞の近傍に偏析するマグネシウム又はアルミニウムを有する、リチウムイオン二次電池の正極活物質。
【請求項２８】
表層部と、結晶欠陥、空洞、前記結晶欠陥の近傍、又は前記空洞の近傍とに偏析するマグネシウム又はアルミニウムを有する、リチウムイオン二次電池の正極活物質。
【請求項２９】
結晶欠陥、空洞、前記結晶欠陥の近傍、又は前記空洞の近傍にマグネシウム又はアルミニウムが存在する、リチウムイオン二次電池の正極活物質。
【請求項３０】
表層部と、結晶欠陥、空洞、前記結晶欠陥の近傍、又は前記空洞の近傍とにマグネシウム又はアルミニウムが存在する、リチウムイオン二次電池の正極活物質。
【請求項３１】
結晶欠陥、空洞、前記結晶欠陥の近傍、又は前記空洞の近傍に偏析するマグネシウム、アルミニウム又はフッ素を有する、リチウムイオン二次電池の正極活物質。
【請求項３２】
表層部と、結晶欠陥、空洞、前記結晶欠陥の近傍、又は前記空洞の近傍とに偏析するマグネシウム、アルミニウム又はフッ素を有する、リチウムイオン二次電池の正極活物質。
【請求項３３】
結晶欠陥、空洞、前記結晶欠陥の近傍、又は前記空洞の近傍にマグネシウム、アルミニウム又はフッ素が存在する、リチウムイオン二次電池の正極活物質。
【請求項３４】
表層部と、結晶欠陥、空洞、前記結晶欠陥の近傍、又は前記空洞の近傍とにマグネシウム、アルミニウム又はフッ素が存在する、リチウムイオン二次電池の正極活物質。